(57)【要約】【課題】ハウジングから表示器を取外さなくても、表示器の発光輝度を測定することが可能な表示装置を提供する。【解決手段】表示器１１は表示光Ｌを発する。反射部材１２は表示光Ｌを反射させる。ハウジング１５は、開口部１５ｂを有し、表示器１１及び反射部材１２を収容する。保持部材１３は、ハウジング１５の開口部１５ｂに着脱可能に設けられ、反射部材１２を保持する。ハウジング１５に保持部材１３を位置決めする位置決め部１５ｃを設ける。【選択図】  図１
2004317906.tif 000002
【特許請求の範囲】
【請求項１】
ハウジングに収容された表示器を有し、前記表示器が発した表示光を反射部材により反射させて虚像を表示する表示装置において、
前記ハウジングに開口部を設け、前記開口部に前記反射部材を保持する保持部材を着脱可能に設けたことを特徴とする表示装置。
【請求項２】
表示光を発する表示器と、前記表示光を反射させる反射部材と、開口部を有し前記表示器を収容するハウジングと、前記ハウジングの前記開口部に着脱可能に設けられ前記反射部材を保持する保持部材と、を有することを特徴とする表示装置。
【請求項３】
前記ハウジングに前記保持部材を位置決めする位置決め部を設けたことを特徴とする請求項１または請求項２に記載の表示装置。
【発明の詳細な説明】
【０００１】
【発明の属する技術分野】
本発明は、表示装置に関するものであり、特に表示器が発した表示器を反射部材で反射させることによって虚像を表示させる表示装置に関するものである。
【０００２】
【従来の技術】
従来より、蛍光表示管等の発光型表示器が発した表示光を反射させて虚像を表示するヘッドアップディスプレイ装置が種々提案されており、例えば特許文献１に開示されている。ヘッドアップディスプレイ装置は、車両のダッシュボード１に配設された表示装置２が投射する表示光Ｌをフロントガラス３で運転者４の方向に反射させ、虚像Ｖを表示するものである（図６参照）。表示装置２は、発光型表示器５と、平面反射鏡６と、凹面反射鏡７とを有しており、これらの発光型表示器５，平面反射鏡６及び凹面反射鏡７はハウジング８に収容されている（図７参照）。発光型表示器５が発した表示光Ｌは、平面反射鏡６で反射され、更に凹面反射鏡７で反射されて、フロントガラス３に投射される。
【０００３】
【特許文献１】
実開昭６３−９０４１号公報
【０００４】
【発明が解決しようとする課題】
運転者４が虚像Ｖを良好に視認するためには、虚像Ｖの表示輝度が所定値以上でなくてはならない。虚像Ｖの表示輝度が所定値未満である場合には、発光型表示器５の発光輝度が低いか、または、フロントガラス３の反射率が低いことが考えられる。従って、発光型表示器５の発光輝度を測定しなければならないことがあるが、発光型表示器５の発光輝度を測定する場合、ハウジング８に組付けられている発光型表示器５をハウジング８から取外さなければならなく、発光型表示器５の発光輝度を測定する作業が煩雑であるという問題を有していた。
本発明は、この問題に鑑みなされたものであり、ハウジングから表示器を取外さなくても、表示器の発光輝度を測定することが可能な表示装置を提供するものである。
【０００５】
【課題を解決するための手段】
本発明は、前記課題を解決するため、請求項１に記載したように、ハウジング１５に収容された表示器１１を有し、前記表示器１１が発した表示光Ｌを反射部材１２により反射させて虚像を表示する表示装置１０において、前記ハウジング１５に開口部１５ｂを設け、前記開口部１５ｂに前記反射部材１２を保持する保持部材１３を着脱可能に設けたものである。
【０００６】
また、本発明は、請求項２に記載したように、表示光Ｌを発する表示器１１と、前記表示光Ｌを反射させる反射部材１２と、開口部１５ｂを有し前記表示器１１を収容するハウジング１５と、前記ハウジング１５の前記開口部１５ｂに着脱可能に設けられ前記反射部材１２を保持する保持部材１３と、を有するものである。
【０００７】
また、本発明は、請求項３に記載したように、前記ハウジング１５に前記保持部材１３を位置決めする位置決め部１５ｃを設けたものである。
【０００８】
【発明の実施の形態】
以下、本発明を車両用ヘッドアップディスプレイ装置に応用した一実施形態を説明する。
【０００９】
表示装置１０は、液晶表示器１１（表示器）と、平面反射鏡１２（反射部材）と、反射鏡保持部材１３（保持部材）と、反射器１４とを有している。液晶表示器１１，平面鏡１２及び反射器１４は、ハウジング１５に収容されている。液晶表示器１１は、液晶表示素子１６，レンズ１７，発光ダイオード１８，硬質配線板１９を有しており、図示しないビスによってハウジング１５に固定されている。液晶表示器１１は、車両の速度，エンジンの回転数等を表示するものである。
【００１０】
図３に示すように、液晶表示素子１６は、表示用液晶セル２１，光学補償用液晶セル２２及び偏光板２３，２４を有している。表示用液晶セル２１は、インジウムスズ酸化物（ＩＴＯ；Ｉｎｄｉｕｍ  Ｔｉｎ  Ｏｘｉｄｅ）からなる透明電極膜２５，２６が設けられた一対の透光性基板２７，２８に液晶２９を封入したものである。各透明電極膜２５，２６は、互いに直交するストライプ状となっており、透明電極膜２５と透明電極膜２６が対向する箇所が画素となっている。
【００１１】
光学補償用液晶セル２２は、一対の透光性基板３０，３１に液晶３２を封入したものであり、表示用液晶セル２１の後方に配設されている。偏光板２３は、表示用液晶セル２１の前面に貼着されており、偏光板２４は、光学補償用液晶セル２２の後面に貼着されている。液晶表示素子１６はＤＳＴＮ型と称されるものであるが、例えばＴＦＴ型液晶表示素子であっても良い。
【００１２】
レンズ１７は、アクリル或いはポリカーボネート等の透光性樹脂からなるものであり、発光ダイオード１８に対向する平面１８ａと、液晶表示素子１６に対向する凸状曲面１８ｂを有する凸レンズとなっている。発光ダイオード１８は、白色に発光するものであり、レンズ１７を介して、液晶表示素子１６を透過照明する。
【００１３】
反射器１４は、凹面反射鏡４８，ミラーホルダー４９，歯車５０及びステッピングモータ５１からなるものである。凹面反射鏡４８は、表示光Ｌを反射させ、車両のフロントガラスに投射する。ミラーホルダー４９は歯車部４９ａ及び軸部４９ｂが一体に形成されている。軸部４９ｂはハウジング１５に設けられた軸受部（図示しない）に軸支されている。
【００１４】
ステッピングモータ５１は、凹面反射鏡４８を回動させ、表示光Ｌの投射方向を調整する。歯車５０はステッピングモータ５１の回動軸に取付けられており、歯車部４９ａと噛み合わされている。運転者は、スイッチ（図示しない）を操作し表示光Ｌが目の位置に反射されるように、凹面反射鏡４８の角度を調整する。
【００１５】
ハウジング１５には、ポリカーボネート等の透光性樹脂からなる窓部１５ａが設けられており、この窓部１５ａからフロントガラスに向けて表示光が投射される。また、ハウジング１５には、開口部１５ｂが設けられており、この開口部１５ｂに反射鏡保持部材１３が取付けられる。平面反射鏡１２は、ポリカーボネート等の樹脂にアルミニウム（Ａｌ）を蒸着させ反射膜を形成したものであり、接着剤或いは両面粘着テープによって反射鏡保持部材１３に貼着されている。
【００１６】
液晶表示器１１の発光輝度を測定するときには、平面反射鏡１２と共に反射鏡保持部材１３を取外す。つまり、平面反射鏡１２と共に反射鏡保持部材１３を取外せば、液晶表示器１１が発した表示光Ｌがハウジング１５の開口部１５ｂから出射するため、輝度計６０によって液晶表示器１１の発光輝度を測定することができる。
【００１７】
本実施形態によれば、液晶表示器１１をハウジング１５から取外すことなく、液晶表示器１１の発光輝度を測定することがでる。なお、液晶表示器１１の発光輝度を測定するときには、反射鏡保持部材１３を取外す必要があるが、反射鏡保持部材１３は、ハウジング１５の外側から取外すことができるため、発光輝度の測定が比較的簡単になる。
【００１８】
なお、図５に示すように、反射鏡保持部材１３に孔部１３ａを設け、ハウジング１５に孔部１３ａと嵌合する凸部１５ｃ（位置決め部）を設けても良く、反射鏡１２が貼着された反射鏡保持部材１３の取付け位置精度を向上させることができる。
【００１９】
なお、本実施形態の表示器は、液晶表示器１１であったが、例えば、蛍光表示管または電界発光表示素子であっても良い。また、本実施形態は表示光Ｌをフロントガラスで反射させて視認するヘッドアップディスプレイであったが、本発明は、表示光Ｌを直視する表示装置にも応用できることは言うまでもない。
【００２０】
【発明の効果】
本発明は、ハウジングに収容された表示器を有し、前記表示器が発した表示光を反射部材により反射させて虚像を表示する表示装置において、前記ハウジングに開口部を設け、前記開口部に前記反射部材を保持する保持部材を着脱可能に設けたものであり、ハウジングから表示器を取外さなくても、表示器の発光輝度を測定することができる。
【００２１】
また、本発明は、表示光を発する表示器と、前記表示光を反射させる反射部材と、開口部を有し前記表示器を収容するハウジングと、前記ハウジングの前記開口部に着脱可能に設けられ前記反射部材を保持する保持部材と、を有するものであり、ハウジングから表示器を取外さなくても、表示器の発光輝度を測定することができる。
【００２２】
また、本発明は、前記ハウジングに前記保持部材を位置決めする位置決め部を設けたものであり、保持部材の取付け位置精度を向上させることができる。
【図面の簡単な説明】
【図１】本発明の実施形態を示す概略構成図。
【図２】同上実施形態を示す液晶表示器の断面図。
【図３】同上実施形態を示す液晶表示素子の拡大断面図。
【図４】同上実施形態を示す発光輝度の測定状態を示す説明図。
【図５】本発明の他の実施形態を示す要部拡大断面図。
【図６】従来例を示すヘッドアップディスプレイの説明図。
【図７】同上従来例を示す表示装置の断面図。
【符号の説明】
１１    液晶表示器（表示器）
１２    平面反射鏡（反射部材）
１３    反射鏡保持部材（保持部材）
１５    ハウジング
１５ｂ  開口部
１５ｃ  凸部（位置決め部）
１６    液晶表示素子
Ｌ  表示光
【図１】
2004317906.tif 000003
【図２】
2004317906.tif 000004
【図３】
2004317906.tif 000005
【図４】
2004317906.tif 000006
【図５】
2004317906.tif 000007
【図６】
2004317906.tif 000008
【図７】
2004317906.tif 000009